(57)【要約】【課題】所望のトラックのみに記録・再生を行うことができる、新規な高記録密度光記録媒体及び記録再生方法を提供する。【解決手段】トラックａ、ｂの幅が、照射光のスポット直径よりも小であり、かつ当該トラックには記録再生用の光の波長以下の線幅及び間隔の金属グリッド１４が設けられてなり、金属グリッド１４の延長方向が、前記トラック内で、光記録媒体の円周方向と４５度の角度を成しており、特定の一のトラックの両側に配置されているトラック(両側トラック)にある前記金属グリッド１４の延長方向が、前記トラックにある前記金属グリッド１４の延長方向と直交する角度に配置されている光記録媒体を提供する。【選択図】図２
2006172538.tif 000002
【特許請求の範囲】
【請求項１】
光を照射して記録及び／又は再生を行う光記録媒体であって、
トラックの幅が、照射光のスポット直径よりも小であり、かつ当該トラックには記録再生用の光の波長以下の線幅及び間隔の金属グリッドが設けられてなり、
前記金属グリッドの延長方向が、前記トラック内で、当該光記録媒体の円周方向と４５度の角度を成しており、
特定の一のトラックの両側に配置されているトラック(両側トラック)にある前記金属グリッドの延長方向が、前記トラックにある前記金属グリッドの延長方向と直交する角度に配置されていることを特徴とする光記録媒体。
【請求項２】
光を照射して記録及び／又は再生を行う光記録媒体を用いた記録再生方法であって、
トラックの幅が、照射光のスポット直径よりも小であり、かつ当該トラックには記録再生用の光の波長以下の線幅及び間隔の金属グリッドが設けられてなり、
前記金属グリッドの延長方向が、前記トラック内で、当該光記録媒体の円周方向と４５度の角度を成しており、
特定の一のトラックの両側に配置されているトラック(両側トラック)にある前記金属グリッドの延長方向が、前記トラックにある前記金属グリッドの延長方向と直交する角度に配置されている光記録媒体に対し光照射を行う際、
前記トラックに設けられている前記金属グリッドの延長方向に平行な直線偏光を照射すること特徴とする記録再生方法。
【請求項３】
光を照射して記録及び／又は再生を行う光記録媒体を用いた記録再生方法であって、
トラックの幅が、照射光のスポット直径よりも小であり、かつ当該トラックには記録再生用の光の波長以下の線幅及び間隔の金属グリッドが設けられてなり、
前記金属グリッドの延長方向が、前記トラック内で、当該光記録媒体の円周方向と４５度の角度を成しており、
特定の一のトラックの両側に配置されているトラック(両側トラック)にある前記金属グリッドの延長方向が、前記トラックにある前記金属グリッドの延長方向と直交する角度に配置されている光記録媒体に対し光照射を行う際、
前記トラックに記録をする光を、前記トラックにある金属グリッドの延長方向に平行な直線偏光とし、
再生時に使用する光のスポットを、隣接する２トラックに照射するとともに、前記光を円偏光とし、
光記録媒体からの反射光を、一つのトラック上の金属グリッド延長方向に平行な直線偏光成分の光と、これに直交する直線偏光成分の光に分離し、
両者の光から、２トラックに記録されている情報を同時に再生すること特徴とする記録再生方法。
【請求項４】
前記金属グリッドからの反射光が、記録したい情報に対応するように、前記光記録媒体中の一部の透過率を、製造時に変調して作製した特徴とする請求項１に記載の光記録媒体。
【請求項５】
前記金属グリッドからの反射光が、記録したい情報に対応するように、前記光記録媒体中の凹凸を、製造時に変調して作製したことを特徴とする請求項１に記載の光記録媒体。
【請求項６】
記録再生を行う光の周波数を、前記金属グリッドの延長方向に平行な直線偏光における前記金属グリッドの共鳴周波数としたことを特徴とする請求項１、４又は５のいずれか一項に記載の光記録媒体。
【請求項７】
前記金属グリッド周辺の誘電率を、予め光記録媒体を製造するときに変調することを特徴とする請求項１、４、５又は６のいずれか一項に記載の光記録媒体。
【請求項８】
光を照射して、光記録媒体の記録及び／又は再生を行う記録再生装置であって、
記録及び／又は再生の対象である光記録媒体は、
トラックの幅が、照射光のスポット直径よりも小であり、かつ当該トラックには記録再生用の光の波長以下の線幅及び間隔の金属グリッドが設けられてなり、前記金属グリッドの延長方向が、前記トラック内で、当該光記録媒体の円周方向と４５度の角度を成しており、特定の一のトラックの両側に配置されているトラック(両側トラック)にある前記金属グリッドの延長方向が、前記トラックにある前記金属グリッドの延長方向と直交する角度に配置されているものとし、
前記トラックに設けられている前記金属グリッドの延長方向に平行な直線偏光を照射するようになされていることを特徴とする記録再生装置。
【請求項９】
光を照射して、光記録媒体の記録及び／又は再生を行う記録再生装置であって、
記録及び又は再生の対象である光記録媒体は、
トラックの幅が、照射光のスポット直径よりも小であり、かつ当該トラックには記録再生用の光の波長以下の線幅及び間隔の金属グリッドが設けられてなり、
前記金属グリッドの延長方向が、前記トラック内で、当該光記録媒体の円周方向と４５度の角度を成しており、
特定の一のトラックの両側に配置されているトラック(両側トラック)にある前記金属グリッドの延長方向が、前記トラックにある前記金属グリッドの延長方向と直交する角度に配置されているものとし、
前記トラックに記録をする光は、前記トラックにある金属グリッドの延長方向に平行な直線偏光であり、
再生時に使用する光のスポットは、隣接する２トラックに照射するようになされているとともに、前記光が円偏光であるものとし、
前記光記録媒体からの反射光を、一つのトラック上の金属グリッド延長方向に平行な直線偏光成分の光と、これに直交する直線偏光成分の光に分離するようになされており、
両者の光から、２トラックに記録されている情報を同時に再生するようになされていることを特徴とする記録再生装置。
【発明の詳細な説明】
【技術分野】
【０００１】
本発明は、高密度大容量型の光記録媒体、これを用いた記録再生方法、及び記録再生装置に関するものである。
【背景技術】
【０００２】
従来においては、狭トラックピッチ基板に微小マーク記録する高密度光ディスクにおいて、特に信号の記録、消去時におけるクロスライトやクロスイレースを軽減することを目的とした高密度光ディスクの提案がなされている（例えば、特許文献１参照。）。
これは、図３５に示す光ディスク９０のように、保護層９１、記録層９２、及び基板９３を具備した構成を有するものである。
基板９３にはトラック方向に延びる壁部９３ａと溝部９３ｂとが径方向に交互に形成されている。そして、溝部９３ｂには記録材料が充填され、記録層９２が形成されている。記録層９２は高密度光ディスク９０の径方向に、つまりトラックごとに、熱伝導率の小さい基板９３の壁部９３ａによって分断されている。更に好ましくは、トラック内においても記録マークごとに記録層９２が分断され、記録マーク間に記録材料より熱伝導率の小さい材料が介在している。
【０００３】
また、従来においては、情報記録時のクロスイレースの発生を防止し、書き換え耐久性に優れた光情報記録媒体、及びその製造方法が提案されている（例えば、特許文献２参照。）。
図３６に示す多層構造型の光情報記録媒体１００においては、基板１０１に形成された案内溝上にのみ記録層１０３が形成され、案内溝間には記録層が存在しない構成となっている。例えば記録層１０３を相変化材料で構成した場合、情報記録時に記録層１０３に記録光を照射して相変化材料を加熱溶融しても、溶融した相変化材料が隣のトラックの記録層に移入することが防止され、トラックピッチを詰めてもクロスイレースが発生することは殆どない。また隣のトラックに相変化材料が偏在することも無くなるので、書き換え耐久性も著しく向上する。かかる光情報記録媒体は高密度記録用の書き換え型光情報記録媒体に極めて好適である。
【０００４】
また、従来においては、狭トラックピッチの基板を用い、ランド／グルーブ記録を行っても、既に記録されている隣接トラックの情報が損なわれることのない、クロスイレース特性に優れた相変化型光デイスク媒体、及びその製造方法が提供されている（例えば、特許文献３参照。）。
図３７に示す光ディスク媒体においては、石英製の基板２０１に形成された隣接したランド部（凹部）およびグルーブ部（凸部）に記録層２０３が不連続に形成されている。
これは、表面が平坦な基板上に、下部誘電体層２０２、記録層２０３、上部誘電体層２０４、反射膜層２０５、及び保護誘電体層２０６が順次形成し、さらに、下層レジスト及び上層レジストで、断面がＴ字型のフォトレジストパターンを形成し、下部誘電体層２〜保護誘電体層６の積層厚と等しい厚さだけ基板２０１にイオンエッチングを施し、下部誘電体層２〜保護誘電体層６と同様の薄膜を積層し、下部レジストから上側の部分全部を除去することにより作製できる。
【０００５】
また、従来においては、グルーブ記録方式が適用され、良好な信号品質が得られ、かつ、トラックの高密度化を図った場合においてもクロスライトの低減が実現可能な構成を備えた光情報記録媒体、光情報記録媒体の製造方法、光情報記録媒体用基板、該基板製造用のスタンパ、及び該スタンパの製造方法について提案されている（例えば、特許文献４参照。）。
これは、図３８に示すように、ランド３０１、グルーブ３０２からなる案内溝を有する基板３０３上に、光情報記録媒体膜３０４が形成されている。
これは、グルーブ３０２上の光情報記録媒体膜３０４を光による情報の記録再生に用いるものとする。
ランド３０１上の光情報記録媒体膜３０４は、熱アニールにより変質させる。ランド３０１に相当する平坦部３０１ａの幅方向端部に、該平坦部３０１ａの長さ方向に沿って突起部３０５を連続的に形成し、上記熱アニール時、および記録再生時のトラック幅方向への熱伝導を抑制して、再生信号品質を高め、クロスライトの発生を抑える。
【０００６】
また、従来においては、ヒートモード記録において、トラックピッチを縮小した際のクロスライト、クロスイレースが抑制され、高記録密度化を可能とした情報記録媒体、その媒体に適した記録方法及び製造方法が提案されている（例えば、特許文献５参照。）。
これは、図３９（ａ）、（ｂ）に示すように、（１）レーザービームにより情報を記録する情報記録媒体において、支持基板１０１１、１０２１上に少なくとも誘電体層１０１３、１０２３と記録層１０１４、１０２４がこの順に設けられ、該支持基板１０１１、１０２１又は支持基板１０１１、１０２１と誘電体層１０１３、１０２３との間の層に、レーザービームのトラック方向と平行なライン状の導電体１０１２、１０２２が設けられている情報記録媒体と、（２）隣接するライン状の導電体間のスペース部分に対してプッシュプル法によりレーザービームをトラッキングして記録する情報記録媒体の記録方法に関するものである。
【０００７】
【特許文献１】特開２０００−２７６７７０号公報
【特許文献２】特開２０００−４５８１３号公報
【特許文献３】特開２００１−２６６４０５号公報
【特許文献４】特開２００４−３９１０６号公報
【特許文献５】特開２００３−２２８８８０号公報
【発明の開示】
【発明が解決しようとする課題】
【０００８】
上述した従来技術においては、クロスライト、クロスイレース防止を目的として、記録材料を溝に埋め込んだ媒体構造としたり、フォトリソグラフィーによって記録材料を加工した媒体構造としたり、ランドの端部に突起部を設けた媒体構造としたりしている。
しかしながら、これらは、記録を行いたい所望のトラックで発生した熱が隣接トラックに広がらないようにする効果は得られるが、隣接トラックでの熱の発生がなくなるわけではない。このため、所望のトラックのみだけでなく、隣接するトラックにも記録が行われてしまう場合がある。
また、上記従来技術においては、再生時のクロストークを低減することに関しては、何ら提案されていなかった。
【０００９】
そこで本発明においては、上記のような従来技術の問題に鑑み、広い条件で、所望のトラックのみに記録・再生を行うことができる、新規な高記録密度光記録媒体及び記録再生方法を提供することとした。
【課題を解決するための手段】
【００１０】
本発明においては、上述したような従来における問題点の解決を図るべく、鋭意検討した結果、下記の提案を行った。
請求項１に係る発明においては、光を照射して記録及び／又は再生を行う光記録媒体であって、トラックの幅が、照射光のスポット直径よりも小であり、かつ当該トラックには記録再生用の光の波長以下の線幅及び間隔の金属グリッドが設けられてなり、前記金属グリッドの延長方向が、前記トラック内で、当該光記録媒体の円周方向と４５度の角度を成しており、特定の一のトラックの両側に配置されているトラック(両側トラック)にある前記金属グリッドの延長方向が、前記トラックにある前記金属グリッドの延長方向と直交する角度に配置されている光記録媒体を提供する。
【００１１】
請求項２に係る発明では、光を照射して記録及び／又は再生を行う光記録媒体を用いた記録再生方法において、トラックの幅が、照射光のスポット直径よりも小であり、かつ当該トラックには記録再生用の光の波長以下の線幅及び間隔の金属グリッドが設けられてなり、前記金属グリッドの延長方向が、前記トラック内で、当該光記録媒体の円周方向と４５度の角度を成しており、特定の一のトラックの両側に配置されているトラック(両側トラック)にある前記金属グリッドの延長方向が、前記トラックにある前記金属グリッドの延長方向と直交する角度に配置されている光記録媒体に対し光照射を行う際、前記トラックに設けられている前記金属グリッドの延長方向に平行な直線偏光を照射することする。
【００１２】
請求項３に係る発明では、光を照射して記録及び／又は再生を行う光記録媒体を用いた記録再生方法において、トラックの幅が、照射光のスポット直径よりも小であり、かつ当該トラックには記録再生用の光の波長以下の線幅及び間隔の金属グリッドが設けられてなり、前記金属グリッドの延長方向が、前記トラック内で、当該光記録媒体の円周方向と４５度の角度を成しており、特定の一のトラックの両側に配置されているトラック(両側トラック)にある前記金属グリッドの延長方向が、前記トラックにある前記金属グリッドの延長方向と直交する角度に配置されている光記録媒体に対し光照射を行う際、前記トラックに記録をする光を、前記トラックにある金属グリッドの延長方向に平行な直線偏光とし、再生時に使用する光のスポットを、隣接する２トラックに照射するとともに、前記光を円偏光とし、光記録媒体からの反射光を、一つのトラック上の金属グリッド延長方向に平行な直線偏光成分の光と、これに直交する直線偏光成分の光に分離し、両者の光から、２トラックに記録されている情報を同時に再生することとする。
【００１３】
請求項４に係る発明においては、前記金属グリッドからの反射光が、記録したい情報に対応するように、前記光記録媒体中の一部の透過率を、製造時に変調して光記録媒体を作製する。
【００１４】
請求項５に係る発明においては、前記金属グリッドからの反射光が、記録したい情報に対応するように、前記光記録媒体中の凹凸を、製造時に変調して光記録媒体を作製する。
【００１５】
請求項６に係る発明においては、記録再生を行う光の周波数を、前記金属グリッドの延長方向に平行な直線偏光における前記金属グリッドの共鳴周波数とする。
【００１６】
請求項７に係る発明においては、金属グリッド周辺の誘電率を、予め光記録媒体を製造するときに変調することとする。
【００１７】
請求項８に係る発明においては、光を照射して、光記録媒体の記録及び／又は再生を行う記録再生装置において、記録及び／又は再生の対象である光記録媒体を、トラックの幅が、照射光のスポット直径よりも小であり、かつ当該トラックには記録再生用の光の波長以下の線幅及び間隔の金属グリッドが設けられてなり、前記金属グリッドの延長方向が、前記トラック内で、当該光記録媒体の円周方向と４５度の角度を成しており、特定の一のトラックの両側に配置されているトラック(両側トラック)にある前記金属グリッドの延長方向が、前記トラックにある前記金属グリッドの延長方向と直交する角度に配置されているものとし、前記トラックに設けられている前記金属グリッドの延長方向に平行な直線偏光を照射するようになされているものとする。
【００１８】
請求項９に係る発明においては、光を照射して、光記録媒体の記録及び／又は再生を行う記録再生装置において、記録及び又は再生の対象である光記録媒体を、トラックの幅が、照射光のスポット直径よりも小であり、かつ当該トラックには記録再生用の光の波長以下の線幅及び間隔の金属グリッドが設けられてなり、前記金属グリッドの延長方向が、前記トラック内で、当該光記録媒体の円周方向と４５度の角度を成しており、特定の一のトラックの両側に配置されているトラック(両側トラック)にある前記金属グリッドの延長方向が、前記トラックにある前記金属グリッドの延長方向と直交する角度に配置されているものとし、前記トラックに記録をする光は、前記トラックにある金属グリッドの延長方向に平行な直線偏光であり、再生時に使用する光のスポットは、隣接する２トラックに照射するようになされているとともに、前記光が円偏光であるものとし、前記光記録媒体からの反射光を、一つのトラック上の金属グリッド延長方向に平行な直線偏光成分の光と、これに直交する直線偏光成分の光に分離するようになされており、両者の光から、２トラックに記録されている情報を同時に再生するようになされているものとする。
【発明の効果】
【００１９】
本発明によれば、従来課題を解決し、広い条件で、所望のトラックのみに記録・再生を行うことができる、新規な高記録密度光記録媒体及び記録再生方法を提供することができた。
請求項２に係る発明によれば、再生速度が従来の２倍とすることができた。
請求項３に係る発明によれば、広い条件で、所望のトラックのみに記録・再生を行うことができた。
また、前記金属グリッドからの反射光が、記録したい情報に対応するように、前記光記録媒体中の凹凸を、製造時に変調して作製したことにより、広い条件で、所望のトラックのみに、確実に記録・再生を行うことができた。
また、照射光の周波数を、前記金属グリッドの延長方向に平行な直線偏光における前記金属グリッドの共鳴周波数としたことにより、広い条件で、所望のトラックのみに、確実に記録・再生を行うことができた。
また、金属グリッド周辺の誘電率を、予め光記録媒体を製造するときに変調したことにより、広い条件で、所望のトラックのみに、確実に記録・再生を行うことができた。
【発明を実施するための最良の形態】
【００２０】
以下、本発明の実施の形態について、図を参照して詳細に説明するが、本発明は、以下の例に限定されるものではない。
【００２１】
〔第一の実施の形態〕
図１に、本発明を具体的に説明するための概略図を示す。
光記録媒体１は、回転モーター２の軸に接合され、簡単に取り外しができる可搬性のある、いわゆるリムーバブルメディアである。
光記録媒体１は、回転モーター２により、高速(線速にして数ｍ／秒)に回転しており、  光記録媒体１の表面に対向して光ピックアップ３が配置され、記録再生を行うためにレーザ光Ｌが照射されている。
光ピックアップ３は、直線運動をするアクチュエータ（図示せず）により光記録媒体１の動径方向(放射方向)に移動するようになされ、光ピックアップ３内にある微動のアクチュエータとともに、いわゆるトラッキング動作をする。
【００２２】
図２〜図４に、本発明の光記録媒体構造の一例の概略図を示す。
なお、図２は概略上面図であり、図３は、概略断面図であり、図４は、図３中の破線で囲まれた円内の積層構造を拡大した概略断面図である。
但し、図３の断面図は、図２の概略上面図において、図中に示す上下方向に切断した状態を示すものとする。
【００２３】
光記録媒体の基板には、いわゆるランドとグルーブ溝が形成されている。
図４の拡大断面図に示すように、ランド上とグルーブ上には、下側保護層１１、記録層１２、上側保護層１３、金属グリッド１４、及び封止材料１５が形成されている。
下側保護層１１は、スパッタ等により成膜したＺｎＳ−ＳｉＯ2(以下ＺＮＳ)等の誘電体膜で形成されている。これは記録層１２を酸化から保護したり、レーザ光により加熱された記録層１２の放熱の速度を制御したりする機能を有している。
【００２４】
記録層１２は、スパッタ等で形成したＡｇＩｎＳｂＴｅ（以下ＡＩＳＴ）等の相変化材料で形成されている。この膜は、膜形成直後はアモルファス状態であるが、製造時の初期化工程により多結晶状態になる。
使用時のレーザ光による加熱により温度が上昇し、レーザ光が照射されなくなったときからの冷却速度により再度アモルファス状態になったり、多結晶のままであったりする。この状態の違いにより情報を記録する。
【００２５】
上側保護層１３の製法、機能は上述した下側保護層１１とほぼ同様である。
上側保護層１３の上には、金属グリッド１４が設けられている。
これは、図２の上面図に示すように、金属細線であり、その延長方向は光記録媒体１の円周方向と４５度の角度に配置されている。
さらに、隣接トラック間で、金属配線の延長方向は直交している。
つまり、円周方向とは４５（ａ）と１３５度（ｂ）の角度で交互に配置されている。また、その線幅及び間隔は、使用するレーザ光の波長より小さくなければいけない。好ましくは波長の１／１０以下とする。
また、金属グリッド１４の膜厚は、線幅の数分の一から数倍である。金属の種類としては金、白金、アルミ、銅等が挙げられる。
金属グリッド１４の動作については後述する。
【００２６】
金属グリッド１４の上には、封止材料１５が設けられており、上記各層を化学的、機械的に保護している。
【００２７】
次に本発明の中心的役割を担う金属グリッド１４の動作について説明する。
図５に示すように、透明基板１０上に金属のストライプ形状のグリッドが形成されている。
金属グリッド１４のストライプの幅ａとピッチｄ (間隔＋幅)は、これに照射される光の波長よりも小さく、少なくとも１／５以下、好ましくは１／１０以下となっている。
この金属グリッド１４は、金属ナノワイヤグリッド、あるいは単にナノワイヤグリッドと呼ばれることもある。「ナノ」という言葉が使われている由来は、光記録媒体に使われている光(可視光)の波長は４００〜９００ｎｍ程度であるから、これの１／１０以下の線幅と間隔というと４０〜９０ｎｍとなり、金属グリッド１４の寸法がナノメータオーダになるためである。
このような状態で、入射光を図面右から金属グリッド１４に照射する。
ここで金属グリッド１４の延長方向と平行に電界が偏光されている光の成分をＴEi 、金属グリッド１４の延長方向と直交して電界が偏光されている光の成分をＴMi とする。また、金属グリッド１４から反射する光の内、金属グリッドの延長方向と平行に電界が偏光されている光の成分をＴEr 、金属グリッド１４の延長方向と直交して電界が偏光されている光の成分をＴMr とする。さらに、金属グリッドを透過する光の内、金属グリッドの延長方向と平行に電界が偏光されている光の成分をＴEt 、金属グリッドの延長方向と直交して電界が偏光されている光の成分をＴMt とする。
【００２８】
金属グリッド１４に光が照射されると金属グリッド１４を構成する各導線は導体であるから、金属グリッド中の自由電子は、光すなわち電磁波の作用を受け、それと同期して振動し、エネルギーの一部は熱となって失われ、残りは電気双極子放射による２次の散乱波として放出される。
金属グリッド１４の導線を、電磁波の波長に比べて充分に細い完全導体の直線導線と考えると、導線の延長方向が、入射する電磁波の電界方向と平行の場合は、導線中の自由電子は、導線の延長方向に、入射した光の電界に比例した振幅を持ち、同じ振動数で振動して全空間に２次散乱波を放出する電気双極子として振る舞う(図６（ａ）)。
このような導線が電磁波の波長λよりも充分に短い幅ａとピッチｄ(ａ≪λ、ｄ≪λ)で等間隔に平行に配列している場合には、各導線による散乱波の干渉効果によって整反射の方向に強いピークを持つ反射が得られる。つまり、図５において高い効率でＴEiは反射されてＴErとなる。
【００２９】
一方、整透過の方向には適当な条件下で散乱波と透過波が干渉して打ち消し合い、電磁波のエネルギーはほとんど流れない、つまり金属グリッドを透過しない。
従って、図５においてＴEiはほとんど透過せず、ＴEtは非常に小さくなる。
入射する光の周波数が、導線延長方向と平行な電界の偏光状態における自由電子の共鳴周波数よりも低いときは、この光に関しては完全導体に近い特性を示すと言っていいので、先に述べた、エネルギーの一部が熱となって失われることはほとんど無い。
しかし、自由電子が共鳴する周波数の光が照射された場合は、導線は不完全導体となり、その内部を流れる電流によって入射した光(電磁波)の相当部分が熱に変わってしまう(つまり吸収される)ことにより反射波の強度は低下する。
【００３０】
一方、導線の延長方向が、入射する電磁波の電界方向と直交する場合は、自由電子は空気や基板の誘電体(絶縁体)との境界で阻止されてほとんど動けないので、その電気双極子能率は前記平行の場合と比べて無視できるほど小さい。この場合、自由電子は導電の表面から飛び出すことができないから電場によってその表面に止まることになる。これは誘電体の電子が原子核に拘束されて復元力を受け、原子内部に留まる振る舞いと等しいことになる。従って、導線は金属で導体であるにもかかわらず、これに直交する電界の偏光光に対しては、電磁波(光)はこれを素通りすることになる。
つまり図５において、ＴMiはほとんど反射されずＴMrは小さく、高い効率で透過してＴMtとなる。
導線を円筒形と仮定し、その直径をａ、ピッチをｄとすると、下記理論式（１）、（２）よりａ＝ｄ／２πにおいてＴE透過率＝０になる。
【００３１】
【数１】
2006172538.tif 000003
【００３２】
【数２】
2006172538.tif 000004
【００３３】
ここで、ａ≪λ、ｄ≪λであれば、ＴEの透過率は、ほぼ０、ＴMの透過率はほぼ１となる。
但しここでは、入射する光の周波数を導体中の電子が共鳴する周波数より低くしている場合を述べた。
【００３４】
図７には、入射する光の周波数に対する各偏光の反射率、図８には吸収率、図９には透過率を示した。
上記の周波数の条件とは、それぞれの偏光に対して導線の金属内電子が共鳴を起こす周波数ωE、ωRよりも低い周波数、例えばω1に、照射光の周波数を設定した場合をいう。したがって、反射率に関してはＴEr／ＴEiが大きく、ＴMr／ＴMiは小さい。また、ＴMt／ＴEiは大きく、ＴEt／ＴMiは小さい。また共鳴は起こさないので、吸収率はＴEa、ＴMaとも小さい。
【００３５】
次に、本発明において、記録再生を行う具体的な光ピックアップの構成を図１０に示す。
光記録媒体は図２〜図４に示したものを適用する。
半導体レーザ３０は直線偏光の光を放つ。
偏光子３１は、この偏光方向の光を通るように設定している(この偏光子はなくても良い)。この直線偏光の光はλ／４板３２により円偏光になり、無偏光ビームスプリッタＢＳを通って、回転偏光子３３に入る。
回転偏光子３３は偏光子が、偏光子板面に垂直な軸を中心に回転できるようになっていて、円周方向に対して、４５度あるいは１３５度で止まるようになっている。例えば回転モーターとエンコーダにより、電気信号により、前記角度に合わせられられるようになっている。
この回転偏光子３３には、円偏光の光が入るので、これを通った光は４５度、１３５度の何れかの偏光角の直線偏光になる。つまり、この偏光子により、図２中の延長方向の角度が異なる二種類の金属グリッド(ａ、ｂ)の何れかの延長方向に平行な直線偏光となる。
従って、他方の金属グリッド(ｂ、ａ)の延長方向とは直交することとなる。
このような光は、対物レンズ３４により基板側から光記録媒体１上に集光される。
【００３６】
なお、上記のように光記録媒体１に照射される光の直線偏光角度を４５度と１３５度に合わせる方法としては、直方体であるビームスプリッタＢＳの辺を光記録媒体１の円周方向あるいは動径方向に平行に配置し、回転偏光子３３の偏光方向を、光記録媒体１の円周方向に４５度あるいは１３５度に合わせる方法がある。
あるいは、回転偏光子３３の偏光方向をビームスプリッタＢＳの辺に対して０度あるいは９０度に合わせるとともに、光ピックアップ全体を光記録媒体１の円周方向に対して４５度あるいは１３５度に配置する方法がある。
【００３７】
例えば、図２中、ａの金属グリッドの延長方向(４５度)に平行な直線偏光の光を、回転偏光子３３を調整して光記録媒体１に照射したとする。但し、この時、光スポットの中心がａの金属グリッドのトラックに来るとする。この場合の直線偏光の光は、先に述べたように金属グリッドに反射される。つまり４５度直線偏光の光に関しては、ａの金属グリッドは一般的な金属反射膜と同じ役割を果たす。金属グリッドの下(基板側)には、上側保護層１３、記録層１２、下側保護層１１があるので、これらにより左記の金属グリッドａからの４５度直線偏光の反射光は多重反射する。これにより記録時は記録層にエネルギーが集中し、記録感度が高くなるようになる。また再生時には記録層内のアモルファス状態のマーク（一般に相変化マーク）と、その回りの多結晶状態の部分(一般的には結晶フィールド)とのコントラストが高くなるようになる。
金属グリッドａのトラックに限っていえば、従来の単層の相変化型光デイスクと同じ動作となる。
よって、この時の金属グリッドａからの４５度直線偏光の反射光は、再生信号光（同時にフォーカスやトラッキングの信号光として）対物レンズ３４側に反射される。この光は光記録媒体１への入射光と同じ偏光方向であるので、回転偏光子３３を通ってＢＳで反射され、集光レンズ３５を通って、フォトダイオード３６に入射され電気信号に変換される。この信号から、金属グリッドａのトラックの記録層再生信号やフォーカスエラー信号とトラッキングエラー信号が生成される。
【００３８】
一方、光記録媒体１の円周方向に対して、その延長方向が１３５度の角度をなす金属グリッドｂに関しては、その延長方向が、４５度直線偏光方向と直交するため、先述べたように金属グリッドを透過し、光記録媒体の基板と反対側に透過してゆく。つまり４５度直線偏光の光に関しては、金属グリッドは透明膜とほぼ同じであり、この偏光の反射光は非常に小さい。したがって、この偏光の反射光はほとんど多重反射を生じない。つまり金属グリッドｂのトラックでは、４５度直線偏光の光は、記録層になんの作用も及ぼさない。
【００３９】
上記のように、４５度直線偏光の光は、金属グリッドａのトラックのみに記録再生を行うことができる。
同様に、１３５度偏光の光は、金属グリッドｂのトラックのみに記録再生を行うことができる。
つまり、隣接トラックへのクロスイレース、クロスライト、クロストークがほとんどなく、光スポットの１／３のトラック幅の光記録媒体に対して記録再生を行うことができる。  従って、記録密度を３倍にすることができる。
金属グリッドは、偏光方向に関しての透過と反射の比(消光比)が高いので、金属グリッドａのトラックと、金属グリッドｂのトラックとの選択比が高いということができる。
本発明の場合、従来の金属反射膜に相当する金属グリッドそのものの反射率が偏光方向により異なるため、照射光が透過するトラックでは、多重反射で生じる、光による熱の発生がほとんど起こらない。従って、従来技術のように熱は発生するが、それが隣接トラックへ拡散するのを遮断してクロスイレースとクロスライトを防止する場合よりも遙かに、広い条件でこれらを防止することができる。
また、上記の構成で、隣接トラック間のクロストークがほとんどない再生を実現することができる。
よって、本発明は、光記録媒体の材料の特性や膜厚等の精度を従来技術のように厳しく制御しなくても、隣接トラック間のクロストーク、クロスイレース、クロスライトが生ぜず、かつ、再生信号のＣ／Ｎが、通常の光記録媒体と同等である、新規な光記録媒体を実現できる。
【００４０】
図１１〜図１３に、本発明の光記録媒体の他の一例の概略図を示す。
なお、図１１は概略上面図であり、図１２は、概略断面図であり、図１３は、図１２中の破線で囲まれた円内の積層構造を拡大した概略断面図である。
但し、図１２の断面図は、図１１の概略上面図において、図中に示す上下方向に切断した状態を示すものとする。
【００４１】
この例における光記録媒体の基板には、ランドグルーブは形成されていない。
しかし、金属グリッド（導線の集合）の間隔が離れており（図１１では判りやすくするために上面図に点線で金属グリッド列の並びを示してある）、これが実質上のトラックとなり、トラッキングエラー信号を得ることができる。これは既に実用化されているＣＤ−ＲＯＭやＤＶＤ−ＲＯＭのトラッキング動作と同様である。これらの光ディスクでは情報を記録しているピット列がトラッキングエラー信号を与えることになる。他の構成・動作については、上述した例と同様である。
【００４２】
図２〜図４の例、及び図１１〜図１３の例においては、光記録媒体の基板側から記録再生用のレーザ光を照射している。材料や構成によっては記録材料側からレーザ光を照射しても良い。これらの基板材料及び光記録材料は従来公知の材料をいずれも適用できる。例えば、基板の材料はポリカーボネートが好適である。また、記録層としては上記ＡＩＳＴに限らず、他の相変化材料、例えば、ＧｅＴｅ−Ｓｂ2Ｔｅ3、ＡｕＧｅＳｎＴｅ、ＧｅＳｂＴｅ等でも良い。
また記録材料は相変化材料に限られず、熱により記録される材料、例えばフタロシアニンやアニリン等の有機色素等も適用できる。また、保護層は必要に応じて設け、省略することもできる。
【００４３】
〔第二の実施の形態〕
本例における、記録再生を行う光ピックアップの構成を、図１４に示す。この例において記録再生対象の光記録媒体は、図２〜図４に示したものを適用した。
図１４において、記録時には、レーザ光路中心を光記録媒体１のａの金属グリッドがあるトラック中心に合わせる。記録動作に関しては、上述した第一の実施の形態と同様である。
再生時においては、ａの金属グリッドがあるトラックと、ｂの金属グリッドがあるトラックの境にレーザ光路中心を合わせる。さらに、回転偏光子３４を外す。このとき、光記録媒体には円偏光の光が照射される。ａの金属グリッドは、円偏光の光の内、４５度の角度の直線偏光成分のみを反射し、ｂは１３５度の角度の直線偏光成分のみを反射する。従って、偏光角４５度の直線偏光の光はａの金属グリッドがあるトラックの情報を再生することができ、偏光角１３５度の直線偏光の光はｂの金属グリッドがあるトラックの情報を再生することができる。
反射光はビームスプリッタＢＳによりフォトダイオードＰＤ側に反射される。この光は偏光ビームスプリッタＰＢＳに入射するが、先の４５度偏光角の光と１３５度偏光角の光に分離され、それぞれ、集光レンズを通してフォトダイオードＰＤaとフォトダイオードＰＤbに入射する。
それぞれの出力から、ａの金属グリッドがあるトラックの情報と、ｂの金属グリッドがあるトラックの情報同時かつ独立に再生することができる。
【００４４】
よって、本例においては、上記第一の実施の形態の特徴(光記録媒体の材料の特性及び膜厚等について、従来技術のように厳しく制御しなくても、隣接トラック間のクロストーク、クロスイレース、クロスライトが生ぜず、かつ、再生信号のＣ／Ｎが、通常の光記録媒体と同等である、新規な光記録媒体を実現できる)を実現しつつ、更には、再生速度が従来の２倍とすることができるという効果を発揮する。
なお、本例においては、図１１〜図１３に示した構造の光記録媒体も適用できる。
【００４５】
図１４においては、光記録媒体の基板側から記録再生用のレーザ光を照射しているが、材料や構成によっては記録材料側からレーザ光を照射しても良い。
これらの基板材料及び光記録材料は、従来公知の材料をいずれも適用できる。例えば基板材料としてはポリカーボネートが好適である。
また、記録層としては、上記ＡＩＳＴに限らず、他の相変化材料、例えば、ＧｅＴｅ−Ｓｂ2Ｔｅ3、Ａｕ−Ｇｅ−Ｓｎ−Ｔｅ、ＧｅＳｂＴｅ等でも良い。また記録材料は相変化材料に限定されず、熱により記録される材料、例えばフタロシアニンやアニリン等の有機色素等も適用できる。保護層は必要に応じて設け、省略してもよい。
【００４６】
図１５〜図１８と図１９〜図２２に、本発明のいずれの例にも適用できる光記録媒体の概略図を示す。
但し、図１５は概略上面図であり、図１６は図１５中のＡ−Ａ’で切った概略断面図であり、図１７は図１５中のＢ−Ｂ’で切った概略断面図であり、図１８は図１６中の破線で囲まれた円内の積層構造を拡大した概略断面図である。
また、図１９は概略上面図であり、図２０は図１９中のＡ−Ａ’で切った概略断面図であり、図２１は図１９中のＢ−Ｂ’で切った概略断面図であり、図２２は図２０中の破線で囲まれた円内の積層構造を拡大した概略断面図である。
ここでは、金属グリッドの延長方向を円周方向に平行なトラックと、動径方向に平行な(円周方向に直交な)トラックを交互に配置する。
これに照射する直線偏光光の偏光角は、記録・再生したいトラックの金属グリッド延長方向と平行、すなわち円周方向に対して０度あるいは９０度にする。他の動作に関しては先の実施例と同じである。
【００４７】
〔第三の実施の形態〕
図２３〜図２５に、本例において適用する光記録媒体の概略図を示す。
なお、図２３は概略上面図であり、図２４概略断面図であり、図２５は図２４中の破線で囲まれた円内の積層構造を拡大した概略断面図である。
また、図２４の断面図は、図２３の概略上面図において、図中に示す上下方向に切断した状態を示すものとする。
【００４８】
ここでは記録層に、光記録媒体の製造時に、記録したい情報に対応して透過率を変化させたマーク２０を予め記録しておく。従って、ユーザが使用するときには再生専用の光記録媒体となる。
金属グリッドの延長方向に平行な直線偏光は、上側保護層１３、記録層１２、下側保護層１１により多重反射する。これにより、記録層１２の透過率分布に対応した光が、高いコントラストで光ピックアップ側に反射する。これにより、予め記録層１２に記録されている情報を再生することができる。
その他の光記録媒体の構成や、再生に必要な光ピックアップの構成・動作は上述した第一、及び第二の実施の形態と同様であるので説明を省略する。
また、第二の実施の形態の構成に適用した場合、二列のトラックに記録されて情報を同時かつ独立に行うことができる。
また、本例では、第一の実施の形態における第一実施例に対応した構成の光記録媒体を示したが、これに限定されることはなく、ランドグルーブを形成しない構造の光記録媒体も同様に適用できる。また、金属グリッドの延長方向が光記録媒体の円周方向と動径方向である場合（図１５〜図１８、及び図１９〜図２２）も適用できる。
【００４９】
〔第四の実施の形態〕
図２６〜図２８に、本例において適用する光記録媒体の概略図を示す。
なお、図２６は概略上面図であり、図２７は概略断面図であり、図２８は図２７中の破線で囲まれた円内の積層構造を拡大した概略断面図である。
また、図２７の断面図は、図２６の概略上面図において、図中に示す上下方向に切断した状態を示すものとする。
【００５０】
本例における光記録媒体の基板は、スタンパにより記録したい情報に対応した凹凸が形成されている。凹凸の高さは、使用する光の、記録媒体中の波長の１／４にする。
基板の上には金属グリッド１４が設けられている。このグリッドの高さは、ピットを有する基板の工程に倣っている。
既に述べたように、金属グリッド１４はその延長方向に直交する直線偏光の光は透過してしまう。一方、平行な直線偏光の光に対しては反射膜と同じ働きをするから、ピットにある金属グリッドで反射された光と、同じトラック内で、前記ピットの回りの平面で反射された光が干渉して、反射光が減少する。ピットのないところは反射光の減少がない。これにより金属グリッド１４が照射した光の偏光方向と平行なトラックに記録された情報のみを再生することができる。
金属グリッドの働き以外は、いわゆるＣＤ−ＲＯＭやＤＶＤ−ＲＯＭと同じ原理である。隣接トラックを再生するときは照射するレーザ光の光路中心を隣のトラックの中心上に移し、回転偏光子を先の状態から９０度回転させ、同様に再生すればよい。
これ以外の光記録媒体の構成や再生に必要な光ピックアップの構成・動作は、上述した第一及び第二の実施の形態と同様であるので説明を省略する。また、第二の実施の形態の構成に適用した場合、二列のトラックに記録されて情報を同時かつ独立に行うことができる。
また、本例では、第一の実施の形態における第一実施例に対応した構成の光記録媒体を示したが、これに限定されることはなく、ランドグルーブを形成しない構造の光記録媒体も同様に適用できる。また、金属グリッドの延長方向が光記録媒体の円周方向と動径方向である場合（図１５〜図１８、及び図１９〜図２２）も適用できる。
【００５１】
〔第五の実施の形態〕
図２９〜図３１に、本例において適用する光記録媒体の概略図を示す。
なお、図２９は概略上面図であり、図３０は概略断面図であり、図３１は図３０中の破線で囲まれた円内の積層構造を拡大した概略断面図である。
また、図３０の断面図は、図２９の概略上面図において、図中に示す上下方向に切断した状態を示すものとする。
【００５２】
本例における光記録媒体の基板には、いわゆるランドグルーブ溝が形成されている。ランド上とグルーブ上には、図３１に示すように、記録層１２、金属グリッド１４が設けられている。金属グリッド１４は記録層１２表面に接する構造だけでなく、記録層１２のなかに金属グリッド１４が埋設されている構造であってもよい。
【００５３】
記録層１２の構成材料としては、それ自身が使用される光の波長で吸収を示し、熱を発生し、その熱により記録される材料、例えばフタロシアニンやアニリン等の有機色素等が好適である。あるいはポリカーボネートのような可視光をほとんど吸収しない材料でも良い。
【００５４】
金属グリッド１４は、図２９の上面図に示すように金属細線であり、その延長方向は光記録媒体の円周方向と４５度の角度に配置されている。さらに、隣接トラック間で、金属配線の延長方向は直交している。つまり、円周方向とは４５度（ａ）と、１３５度（ｂ）の角度で交互に配置されている。また、その線幅及び間隔は、使用するレーザ光の波長より小さくなければいけない。好ましくは波長の１／１０以下が望ましい。また、金属グリッド１４の膜厚は線幅の数分の一から数倍であるものとする。金属グリッドの材料としては金、白金、アルミ、銅等が挙げられる。金属グリッドの動作については、上述した各例と同様である。
金属グリッド１４の上には、封止材料１５が設けられており、上記各層を化学的、機械的に保護している。
【００５５】
上述したような光記録媒体への記録・再生を行う光ピックアップの構成としては、図１０、図１５に示したものが挙げられる。但し、この場合の半導体レーザの周波数は図７〜図９に示すωEとする。このωEは、図８の曲線ａに示すように、金属グリッドにＴEi(金属グリッド延長方向に偏向した光)が入射した場合に、金属グリッドが共鳴を起こし、ＴEiを吸収し、熱(ジュール熱)を発生する周波数である。これを共鳴周波数という。共鳴周波数では図７の曲線ａに示すように反射率は低い。この共鳴周波数は金属グリッドの形状、寸法及び周囲の材料の誘電率により決定される。特に周囲材料の誘電率には敏感で、これが変化すると共鳴周波数が変わり、誘電率が変化する前の共鳴周波数の光を金属グリッドに照射しても共鳴が生じなくなる。つまり、反射するようになる(なお、ＴMiを入射した場合は、この偏光で金属グリッドが共鳴を生じる周波数ωMがある。)。
ここで、ωEでの反射率は上がる（図７）。透過率は僅かに上がる（図９）。しかし吸収率は下がる（図８）。
【００５６】
この周波数のＴEiとＴMiの光が、図２９〜図３１の光記録媒体に照射された場合を考える。
先ず、ＴEi(ここでは円周方向に対して４５度の直線偏光の、光記録媒体への照射光)に関して、情報が記録されない程度に半導体レーザのパワーを絞った場合、金属グリッドは共鳴を起こし、熱を発生するが、記録層の材料を変性させるほどの熱は発生しない。したがって、未記録の記録層からの反射光ＴEr(ここでは円周方向に対して４５度の直線偏光の、光記録媒体からの反射光)は非常に小さい。記録層への記録を行うためには半導体レーザのパワーを記録できる程度に大きくする。
金属グリッドに照射されるＴEiのパワーが増えると、当然金属グリッドが吸収する光エネルギーも増えるので、熱が多く発生する。この熱により記録層が変成する。変成すると、変成した部分の誘電率（したがって屈折率）が変化し、これにより、図８の曲線ｂに示すように、共鳴周波数がずれる。当然、図７の曲線ｂに示すように反射率も変化する。この後も金属グリッドに周波数ωEの光ＴEiを照射すると(この場合は、記録時よりも小さい、再生のみに必要なパワー)グリッドは光を吸収せず、反射するようになる。その反射率の変動分が図７のΔＴErである。つまり、記録を行った部分は、記録前によりも反射光ＴEr（円周方向に対して４５度の直線偏光の、光記録媒体からの反射光）が増える。以上のように、図２９のａのトラックに記録・再生が行われる。
一方、隣接したｂのトラックに関しては、入射光の偏光方向が金属グリッドの延長方向と直交しているので、図５に示すようにほとんど吸収が起きないし、図６のように、ほとんど透過してしまう。よって、金属グリッドは熱を発生せず、したがって、記録層は変成しないので、ｂのトラックには情報が記録されない。すなわちクロスライト及びクロスイレースは生じない。
また、再生時にも同様にほとんど透過してしまうので、ｂのトラックからの反射光はほとんどない。つまり再生時にもクロストークが生じない。
以上のように、図２９のａのトラックのみに記録・再生を行うことができる。
【００５７】
ｂのトラックに関しては、直線偏光の角度を１３５度にすれば同様な動作により、このトラックのみの記録・再生が可能となる。
記録再生を行う光ピックアップの構成・動作・効果に関しては、上述した第１及び第２の実施の形態（図７、図１４で説明）と同様であるので、説明を省略する。
なお、この例においては、基板上にランドグルーブが形成された構成の光記録媒体を例に挙げて説明したが、特にこれに限定されることはなく、図１１〜図１３のようにランドグルーブが形成されていない光記録媒体であってもよい。
また、記録層の材料としては相変化材料のような書き換えが可能なものを使っても良い。
【００５８】
〔第六の実施の形態〕
図３２〜３４に、本例において適用する光記録媒体の概略図を示す。
なお、図３２は概略上面図であり、図３３は概略断面図であり、図３４は図３３中の破線で囲まれた円内の積層構造を拡大した概略断面図である。
また、図３３の断面図は、図３２の概略上面図において、図中に示す上下方向に切断した状態を示すものとする。
【００５９】
この光記録媒体の基板には、いわゆるランドグルーブ溝が形成されている。
ランド上とグルーブ上には、図３４に示すように、記録層１２、金属グリッド１４が設けられている。記録層１２は、ポリカーボネートのような可視光をほとんど吸収しない材料から構成されている。
また、本例のように、記録層１２の表面に金属グリッド１４が設けられている構造だけでなく、記録層１２のなかに金属グリッド１４が埋設されている構造であってもよい。但し、記録層１２には、製造時に予め記録されたマーク５０があり、このマーク部分は記録層の他の部分と、その誘電率(屈折率)が異なる。
【００６０】
金属グリッド１４の構成については、上述した各例と同様である。
金属グリッド１４の上には、封止材料１５があり、上記各層を化学的、機械的に保護している。
【００６１】
この光記録媒体に、上記において説明した図１０、あるいは図１４の光ピックアップを作用させた場合を考える。
先ず、記録層のマーク部分の誘電率が、光ピックアップからの入射光のうち、ＴEiに関して金属グリッドが共鳴するように設定されている。この共鳴は、上記第五の実施の形態で述べた原理により生じる。
また、記録層のマーク部分以外の誘電率は共鳴しないように設定されている。
これら設定は製造時に行われる。つまり、光ピックアップの入射光の周波数は、図７におけるωEに設定されていて、さらに、マーク部分はａの反射特性を持つので、ＴEi（金属グリッド延長方向に偏向した光）を吸収する。
従って、光ピックアップ側への反射光ＴErは少ない。一方、マーク以外の部分については、ｂの反射特性に設定されているので、反射率は大きく、反射光ＴEr（ここでは円周方向に対して４５度の直線偏光の、光記録媒体からの反射光）は多い。
従って、反射光ＴErから記録層に予め製造時に記録されている情報を再生することができる。
【００６２】
一方、隣接したｂのトラックに関しては、入射光の偏光方向が金属グリッドの延長方向と直交しているので、図８に示すようにほとんど吸収が起きないし、図９に示すようにほとんど透過してしまう。
フォーカスやトラッキングのサーボ信号光に関しては、先に述べた各実施の形態と同様である。
【００６３】
なお、本例ではマーク部分は共鳴、非マーク部分は非共鳴というように光記録媒体製造時に設定した場合を述べたが、この逆の場合、つまり、マーク部分は非共鳴、非マーク部分は共鳴というように光記録媒体製造時に設定しても良い。
【００６４】
上述したように、各トラックの金属グリッド延長方向に平行な直線偏光の光により、該トラックのみの情報を再生することができる。
この時、該金属グリッドとは直交した金属グリッドを持つ隣接トラックの情報は再生されないので、クロストークがほとんど生じない。
【００６５】
また、第二の実施の形態の光ピックアップ（図１４）を適用した場合は、この例において説明したように、２トラック分の情報を、同時かつ独立に再生できるので、再生のビットレートが従来の２倍とすることができる。
【００６６】
なお、この例においては、基板上にランドグルーブが形成された構成の光記録媒体を例に挙げて説明したが、特にこれに限定されることはなく、図１１〜図１３のようにランドグルーブが形成されていない光記録媒体であってもよい。
また、金属グリッドの延長方向が、図１５〜図１８、及び図１９〜図２２のような光記録媒体であってもよい。
【図面の簡単な説明】
【００６７】
【図１】本発明の記録再生方法を説明するための概略図を示す。
【図２】本発明の光記録媒体の一例の概略上面図を示す。
【図３】本発明の光記録媒体の一例の概略断面図を示す。
【図４】図３中の破線で囲まれた円内の積層構造を拡大した概略断面図を示す。
【図５】金属グリッドの機能を説明するための概略図を示す。
【図６】(ａ)、（ｂ）は金属グリッドの機能を説明するための概略図を示す。
【図７】入射する光の周波数に対する各偏光の反射率を示す。
【図８】入射する光の周波数に対する各偏光の吸収率を示す。
【図９】入射する光の周波数に対する各偏光の透過率を示す。
【図１０】光ピックアップの概略構成図を示す。
【図１１】本発明の光記録媒体の一例の概略上面図を示す。
【図１２】本発明の光記録媒体の一例の概略断面図を示す。
【図１３】図１２中の破線で囲まれた円内の積層構造を拡大した概略断面図を示す。
【図１４】光ピックアップの概略構成図を示す。
【図１５】本発明の光記録媒体の一例の概略上面図を示す。
【図１６】本発明の光記録媒体の一例の概略断面図を示す。
【図１７】本発明の光記録媒体の一例の概略断面図を示す。
【図１８】図１６中の破線で囲まれた円内の積層構造を拡大した概略断面図を示す。
【図１９】本発明の光記録媒体の一例の概略上面図を示す。
【図２０】本発明の光記録媒体の一例の概略断面図を示す。
【図２１】本発明の光記録媒体の一例の概略断面図を示す。
【図２２】図２０中の破線で囲まれた円内の積層構造を拡大した概略断面図を示す。
【図２３】本発明の光記録媒体の一例の概略上面図を示す。
【図２４】本発明の光記録媒体の一例の概略断面図を示す。
【図２５】図２４中の破線で囲まれた円内の積層構造を拡大した概略断面図を示す。
【図２６】本発明の光記録媒体の一例の概略上面図を示す。
【図２７】本発明の光記録媒体の一例の概略断面図を示す。
【図２８】図２７中の破線で囲まれた円内の積層構造を拡大した概略断面図を示す。
【図２９】本発明の光記録媒体の一例の概略上面図を示す。
【図３０】本発明の光記録媒体の一例の概略断面図を示す。
【図３１】図３０中の破線で囲まれた円内の積層構造を拡大した概略断面図を示す。
【図３２】本発明の光記録媒体の一例の概略上面図を示す。
【図３３】本発明の光記録媒体の一例の概略断面図を示す。
【図３４】図３３中の破線で囲まれた円内の積層構造を拡大した概略断面図を示す。
【図３５】従来の光記録媒体の概略断面図を示す。
【図３６】従来の光記録媒体の概略断面図を示す。
【図３７】従来の光記録媒体の概略断面図を示す。
【図３８】従来の光記録媒体の概略構成図を示す。
【図３９】（ａ）、（ｂ）は従来の光記録媒体の概略断面図を示す。
【符号の説明】
【００６８】
１  光記録媒体
２  回転モーター
３  光ピックアップ
１０  透明基板
１１  下側保護層
１２  記録層
１３  上側保護層
１４  金属グリッド
１５  封止材料
２０  製造時に記録されたマーク
３０  半導体レーザ
３１  偏光子
３２  λ／４板
３３  回転偏光子  
３４  対物レンズ
３５  集光レンズ
３６  フォトダイオード
４０  製造時に記録された凹凸
４１  製造時に記録されたマーク
５０  製造時に記録されたマーク
９０  光ディスク
９１  保護層
９２  記録層
９３  基板
９３ａ  壁部
９３ｂ  溝部
１００  光情報記録媒体
１０１  基板
１０２  案内溝
１０３  記録層
２０１  基板
２０２  下部誘電体層
２０３  記録層
２０４  上部誘電体層
２０５  反射膜層
２０６  保護誘電体層
３０１  ランド
３０２  グルーブ
３０３  基板
３０４  光情報記録媒体膜
３０５  突起部
１０１１，１０２１  支持基板
１０１２，１０２２  導電体
１０１３，１０２３  誘電体層
１０１４，１０２４  記録層
【図１】
2006172538.tif 000005
【図２】
2006172538.tif 000006
【図３】
2006172538.tif 000007
【図４】
2006172538.tif 000008
【図５】
2006172538.tif 000009
【図６】
2006172538.tif 000010
【図７】
2006172538.tif 000011
【図８】
2006172538.tif 000012
【図９】
2006172538.tif 000013
【図１０】
2006172538.tif 000014
【図１１】
2006172538.tif 000015
【図１２】
2006172538.tif 000016
【図１３】
2006172538.tif 000017
【図１４】
2006172538.tif 000018
【図１５】
2006172538.tif 000019
【図１６】
2006172538.tif 000020
【図１７】
2006172538.tif 000021
【図１８】
2006172538.tif 000022
【図１９】
2006172538.tif 000023
【図２０】
2006172538.tif 000024
【図２１】
2006172538.tif 000025
【図２２】
2006172538.tif 000026
【図２３】
2006172538.tif 000027
【図２４】
2006172538.tif 000028
【図２５】
2006172538.tif 000029
【図２６】
2006172538.tif 000030
【図２７】
2006172538.tif 000031
【図２８】
2006172538.tif 000032
【図２９】
2006172538.tif 000033
【図３０】
2006172538.tif 000034
【図３１】
2006172538.tif 000035
【図３２】
2006172538.tif 000036
【図３３】
2006172538.tif 000037
【図３４】
2006172538.tif 000038
【図３５】
2006172538.tif 000039
【図３６】
2006172538.tif 000040
【図３７】
2006172538.tif 000041
【図３８】
2006172538.tif 000042
【図３９】
2006172538.tif 000043